(57)【特許請求の範囲】
【請求項１】
前方が開口する冷蔵室(11)内に立設されて該冷蔵室(11)内の冷蔵収容物を載置する棚部材(15,16)を支持する棚柱(17)と、前記冷蔵室(11)の上部に配置された冷却器(20)と、前記冷蔵室(11)の下側に隔壁(23)を介して画成されて前方に開放する機械室(24)と、前記機械室(24)に配置されて前記冷却器(20)に冷媒を循環供給する冷凍ユニット(21)とを備える棚柱付き冷蔵ショーケースにおいて、
前記隔壁(23)の手前側に、前方に開放するＵ字状の切り欠き(26)が設けられ、
前記冷却器(20)および前記冷凍ユニット(21)を接続して前記冷媒の通路となる冷凍配管(19)を前記Ｕ字状の切り欠き(26)に前側から挿通して、該冷却器(20)および冷凍ユニット(21)が冷蔵室(11)および機械室(24)に夫々収納設置され、
前記冷蔵室(11)内を延在する冷凍配管(19)の前側に前記棚柱(17)を立設固定して、該冷凍配管(19)を棚柱(17)で隠すよう構成した
ことを特徴とする棚柱付き冷蔵ショーケース。
【請求項２】
前記棚柱(17)が横断面略「コ」の字状を成し、前記冷凍配管(19)が該棚柱(17)内に収納されている請求項１記載の棚柱付き冷蔵ショーケース。
【請求項３】
前記棚柱(17)の幅寸法は、冷蔵室(11)の背面側に向かうにつれて狭くなるよう設定される請求項２記載の棚柱付き冷蔵ショーケース。
【請求項４】
前記冷凍配管(19)をＵ字状の切り欠き(26)に挿通させた後に、該切り欠き(26)の開口端をショーケース前部に設けられた扉(14a,14b)の下レール(25)における下枠(25b)で隠す構造とした請求項１〜３の何れか一項に記載の棚柱付き冷蔵ショーケース。
【請求項５】
前記冷凍配管(19)をＵ字状の切り欠き(26)に挿通した後に、該切り欠き(26)に第１スペーサ(30)を挿入して冷凍配管(19)を押さえ、更に、前記下レール(25)の下面に突設した突起(25a)を切り欠き(26)における第１スペーサ(30)の前側に挿通した後に、該切り欠き(26)に第２スペーサ(31)を挿入して突起(25a)を押さえる構造とした請求項４記載の棚柱付き冷蔵ショーケース。
【発明の詳細な説明】
【０００１】
【発明の属する技術分野】
本発明は、収容物を冷蔵または冷凍する冷蔵ショーケースに関し、更に詳細には、下置きされる冷凍ユニットと上置きされる冷却器とを連結する冷凍配管が冷蔵室内で邪魔にならない棚柱付き冷蔵ショーケースに関するものである。
【０００２】
【従来の技術】
商店などに設置される冷蔵ショーケースは、冷気循環効率を考慮して、冷凍ユニットがショーケース下部の機械室内に収納されると共に、冷却器がショーケースの天井部分に配置され、冷凍ユニットから冷凍配管を通して冷却器に冷媒が循環供給されるようになっている。このため、ショーケースの天井とショーケースの機械室との間に位置する冷蔵室を冷凍配管が縦断している。
【０００３】
図５は、従来の冷蔵ショーケースの冷蔵室部分の横断面図である。この図に示すように、従来の冷蔵ショーケースでは、冷蔵室１の奥隅に密着して冷凍配管２が配置されている。また別の従来の冷蔵ショーケースでは、図６に示すように、冷蔵ショーケースの側壁３の奥部を凹状に形成して、この凹状部分に冷凍配管４を埋め込む構成が採用される場合もある。
【０００４】
【発明が解決しようとする課題】
図５に示すように、前記冷凍配管２を冷蔵室１の奥隅に配置する場合、冷凍配管２がショーケースのガラス製扉５ａ,５ｂを通して見苦しくないようカバー６を設けたり、また、冷蔵室１内に配置される棚網７が冷凍配管２に干渉しないよう、該棚網７にＣカット部８を設ける必要が生じる。しかし、冷凍配管２やカバー６が外部から見えるため見映えが悪く、また、Ｃカット部８を設けた棚網７はその上に多くの冷蔵収容物を載せることができないという問題がある。
【０００５】
また図６に示すように、冷蔵ショーケースの側壁３に凹部を設けてここに冷凍配管４を埋め込む場合、この凹部を設けた部分の断熱材の厚さを薄くしなければならず、冷蔵室１内に侵入する熱量が増大し、また、断熱材を薄くした部分の外装壁面に結露が生じるという問題がある。
【０００６】
【発明の目的】
本発明は、従来の技術に係る冷蔵ショーケースに内在している前記欠点に鑑み、これを好適に解決するべく提案されたものであって、冷凍配管などが見苦しくなく、また、棚部材を広く使うことができ、更に、断熱材の厚さを薄くする必要のない棚柱付き冷蔵ショーケースを提供することを目的とする。
【０００７】
【課題を解決するための手段】
前記課題を解決し、所期の目的を達成するため、本発明に係る棚柱付き冷蔵ショーケースは、
前方が開口する冷蔵室内に立設されて該冷蔵室内の冷蔵収容物を載置する棚部材を支持する棚柱と、前記冷蔵室の上部に配置された冷却器と、前記冷蔵室の下側に隔壁を介して画成されて前方に開放する機械室と、前記機械室に配置されて前記冷却器に冷媒を循環供給する冷凍ユニットとを備える棚柱付き冷蔵ショーケースにおいて、
前記隔壁の手前側に、前方に開放するＵ字状の切り欠きが設けられ、
前記冷却器および前記冷凍ユニットを接続して前記冷媒の通路となる冷凍配管を前記Ｕ字状の切り欠きに前側から挿通して、該冷却器および冷凍ユニットが冷蔵室および機械室に夫々収納設置され、
前記冷蔵室内を延在する冷凍配管の前側に前記棚柱を立設固定して、該冷凍配管を棚柱で隠すよう構成したことを特徴とする。
【０００８】
【発明の実施の形態】
次に、本発明に係る棚柱付き冷蔵ショーケースにつき、好適な実施例を挙げて、添付図面を参照しながら以下説明する。
【０００９】
図１は、本発明の一実施形態に係る冷蔵ショーケースの冷蔵室部分の横断面図であり、図２は、この冷蔵ショーケースの外観図である。冷蔵ショーケース１０の冷蔵室１１は、背面および両側面が厚い断熱壁１２で囲まれ、前面は、下レール２５上をスライドする２枚のガラス製の扉１４ａ,１４ｂで開閉可能に閉成されるようになっている。
【００１０】
前記冷蔵室１１内には、冷蔵収容物を載置する棚網(棚部材)１５,１６が多段的に設けられ、これらの棚網１５,１６は、断熱壁１２の内周面に設けられた図示しない段部と、冷蔵室１１内に立設された棚柱１７とによって支持されるよう構成される。この棚柱１７は、通常は、２枚のガラス製扉１４ａ,１４ｂが閉成されたときに、両扉１４ａ,１４ｂが前後に重なる扉枠１４ｃ(図２参照)によって隠れる死角位置に設けられる。
【００１１】
本実施形態に係る棚柱１７は、横断面が略コの字状となるように板金を屈曲して構成され、コの字状の開口部が冷蔵室１１の背面を向く姿勢で、冷蔵室１１内に立設される。そして、棚柱１７の前面に照明用の蛍光灯１８が取り付けられると共に、コの字状の内部に、冷凍配管１９が挿通配置される。この冷凍配管１９は、図２に示す如く、冷蔵ショーケース１０の天井部分に配置される冷却器２０と、冷蔵ショーケース１０の下部に設けられる機械室２４内に設置される冷凍ユニット２１との間を接続し、冷凍ユニット２１から冷却器２０に冷媒を循環供給する通路となる。なお、棚柱１７の幅方向に対向する両側壁１７ａ,１７ａが開口部に向かうにつれて近接するよう傾斜し、該棚柱１７の幅寸法が、図１に示す如く、冷蔵室１１の背面側に向かうにつれて狭くなるよう設定されており、前記棚網１５,１６における冷蔵収容物を載置し得る面積を大きくし得るよう構成ししてある。
【００１２】
図３は、図１および図２に示す冷蔵ショーケースの分解図である。該冷蔵ショーケース１０は、断熱材で構成される断熱壁１２によって冷蔵室１１が画成されると共に、冷蔵室１１の下側に仕切壁(隔壁)２３を介して機械室２４が画成される。そして、この仕切壁２３の前部上面に、扉スライド用の下レール２５が取り付けられるようになっている。また仕切壁２３の幅方向の中央には、手前側(前面側)に開口を有するＵ字状の切り欠き２６が形成されている。
【００１３】
前記冷却器２０と冷凍ユニット２１とは冷凍配管１９で接続された一体品として製造されており、図３に示す状態で、冷凍ユニット２１を機械室２４に収納設置し、冷却器２０を冷蔵ショーケース１０の天井部分に収納設置すれば、このとき、冷凍配管１９はＵ字状切り欠き２６内に収まるよう構成してある。そして、冷凍配管１９の前側に棚柱１７を立設固定し、該棚柱１７の前面に蛍光灯１８を取り付けることで組立てが完了するようになっている。
【００１４】
図４は、前記Ｕ字状切り欠き２６への冷凍配管１９の取付構造を示す分解図である。前記仕切壁２３に設けられた長手のＵ字状切り欠き２６に冷凍配管１９が挿入された後は、第１スペーサ３０を前側からＵ字状切り欠き２６に挿入して冷凍配管１９を押さえ、更に、下レール２５の下面に突設された突起２５ａをＵ字状切り欠き２６に挿入し、第２スペーサ３１をＵ字状切り欠き２６に入れて突起２５ａを押さえることで、下レール２５が仕切壁２３の前部上面に固定される。なお、Ｕ字状の切り欠き２６の部分の上部に樹脂製ブラケット,下部に金属製ブラケット等(何れも図示せず)を取り付け、両スペーサ３０,３１等がＵ字状の切り欠き２６から外れないようになっている。また、前記下レール２５を仕切壁２３に固定したときに、該下レール２５の前端縁から垂下する下枠２５ｂが仕切壁２３の前端面２３ａに当接し、前記Ｕ字状の切り欠き２６の前側が覆われるよう構成してある。
【００１５】
【実施例の作用】
本実施形態に係る冷蔵ショーケース１０では、前記冷凍配管１９が棚柱１７の背部に隠れるため、冷蔵ショーケース１０のガラス製扉１４ａ,１４ｂを通しても外部から見えることがなくなる。従って、非常に見映えのするショーケースが得られる。また、冷蔵室１１の内壁から冷凍配管１９が出っ張ることもないから、冷蔵室１１内への冷蔵収容物の収納や掃除が容易になると同時に、多くの冷蔵収容物の収納が可能である。更に、冷凍配管配設のために冷蔵室１１の断熱材を薄くしなければならない箇所もないため、冷蔵室１１への熱の侵入を少なくでき、外装表面への結露も防止可能となる。なお、前記棚網１５,１６を支持する棚柱１７を、冷凍配管１９のカバーとして兼用させることで、部品点数も減少し、コスト削減を図ることもできる。しかも、棚柱１７の幅寸法が冷蔵室１１の背面側に向かうにつれて狭くなるから、前記棚網１５,１６における冷蔵収容物を載置し得る面積を大きく稼ぐことが可能となる。
【００１６】
また、前記仕切壁２３にＵ字状切り欠き２６を設けているから、図３に示すように、冷却器２０を冷凍配管１９で連結した冷凍ユニット２１を一体品として組付けることができ、冷蔵ショーケース１０の組立て工数を減少して、製造コストが低減する。しかも、冷凍ユニット２１等を組付けるときに、冷凍配管１９を分断して組付けた後に、２つの冷凍配管１９を溶接したりカプラ等で接続する必要がなくなるため、冷媒の漏洩のおそれもない。更に、前記下レール２５を仕切壁２３に固定したときに、該下レール２５の下枠２５ｂでＵ字状の切り欠き２６の前側を覆って隠すことができ、見映えが劣ることはない。
【００１７】
【発明の効果】
以上に説明した如く、本発明に係る棚柱付き冷蔵ショーケースによれば、冷凍配管が棚柱の背部に隠れるから、冷蔵室内の見映えが良くなる。また、冷蔵室内の出っ張りや窪みがなくなるため、冷蔵収容物の収納や取り出しが容易になると共に清掃も容易となる。更に、棚部材への冷蔵収容物の収納量が少なくなることもない。なお、棚柱の幅寸法を冷蔵室の背面側に向かうにつれて狭くなるよう設定することで、棚部材をその分だけ大型化して冷蔵収容物を載置し得る面積を稼ぐことが可能となる。
【００１８】
前記冷蔵室と機械室とを画成する隔壁に、冷凍配管を挿通するためのＵ字状切り欠きを設けたから、冷却器を冷凍配管で連結した冷凍ユニットを一体品として組付けることができ、組立て工数および製造コストを低減し得る。しかも、冷凍配管を溶接したりカプラ等で接続する必要がなくなるため、冷媒の漏洩のおそれもない。更に、下レールの下枠でＵ字状の切り欠きの前側を隠すことができるから、見映えが劣ることもない。
【図面の簡単な説明】
【図１】  本発明の一実施形態に係る冷蔵ショーケースの冷蔵室部分の横断面図である。
【図２】  図１に示す冷蔵ショーケースの外観図である。
【図３】  図２に示す冷蔵ショーケースの分解図である。
【図４】  冷凍配管の仕切壁への取付構造を示す分解図である。
【図５】  従来の冷蔵ショーケースの冷蔵室部分の横断面図である。
【図６】  従来の別の冷蔵ショーケースの冷凍配管配置部分の断面図である。
【符号の説明】
１１ 冷蔵室，１５,１６ 棚網(棚部材)，１２ 断熱壁，１３ レール
１４ａ,１４ｂ 扉，１５,１６ 棚網，１７ 棚柱，１８ 蛍光灯
１９ 冷凍配管，２０ 冷却器，２１ 冷凍ユニット，２３ 仕切壁
２５ａ 突起，２６ Ｕ字状の切り欠き，３０ 第１スペーサ
３１ 第２スペーサ
【図１】
0004598171.tif 000002
【図２】
0004598171.tif 000003
【図３】
0004598171.tif 000004
【図４】
0004598171.tif 000005
【図５】
0004598171.tif 000006
【図６】
0004598171.tif 000007